(57)【要約】  貯蔵器ネック（１３）に設置されるよう設計された流体ディスペンサ部材であって、前記部材は部材を貯蔵器ネック（１３）に固定するための固定手段を有し、前記固定手段は貯蔵器ネック（１３）を囲む形に延びるよう設計された周縁スカート（２０）を有し、前記スカート（２０）はネック（１３）に嵌められるよう設計された留めプロフィール（２０１０）を少なくとも１つ有し、特徴となるのは、スカート（２０）がさらにガイド部（２０１１）を有し、当該ガイド部は、前記少なくとも１つの留めプロフィール（２０１０）がいまだネック（１３）に嵌まっていない状態にある間、ネック（１３）を囲む形で嵌められるよう設計されていること、である、という前記ディスペンサ部材。
2007515281.tif 000002
【特許請求の範囲】
【請求項１】
貯蔵器ネック（１３）に設置されるよう設計された流体ディスペンサ部材であって、前記部材は部材を貯蔵器ネック（１３）に固定するための固定手段を有し、前記固定手段は貯蔵器ネック（１３）を囲む形に延びるよう設計された周縁スカート（２０）を有し、前記スカート（２０）はネック（１３）に嵌められるよう設計された留めプロフィール（２０１０）を少なくとも１つ有し、
特徴となるのは、
スカート（２０）がさらにガイド部（２０１１）を有し、当該ガイド部は、前記少なくとも１つの留めプロフィール（２０１０）がいまだネック（１３）に嵌まっていない状態にある間、ネック（１３）を囲む形で嵌められるよう設計されていること、である、
という前記ディスペンサ部材。
【請求項２】
スカート（２０）は、ネック（１３）に対してスラスト力を加えるように設計されたスラスト壁（２０６１）から下向きに延びており、そうして、スカート（２０）には自由端（２０２）が形作られ、前記ガイド部（２０１１）は前記自由端（２０２）から留めプロフィール（２０１０）まで延びていること、
を特徴とする請求項１に記載のディスペンサ部材。
【請求項３】
固定手段は密封ブッシング（２１）を有し、当該ブッシング（２１）はネック（１３）の内壁（１３３）と密封接触の状態になるように設計されていること、
を特徴とする請求項１または２に記載のディスペンサ部材。
【請求項４】
ブッシング（２１）はスラスト壁（２０６１）から下向きに延び、当該壁（２０６１）はネック（１３）の上に載る状態となるように設計されており、そうしてブッシング（２１）には自由端部（２１２）が形作られており、当該端部（２１２）はスカート（２０）の自由端部（２０２）とほぼ同じレベルにまで延びていること、
を特徴とする請求項２または３に記載のディスペンサ部材。
【請求項５】
流体入口（２３０）を備えた流体チャンバ本体を有し、前記入口（２３０）は貯蔵器（１）に格納された流体を引き出す際の通り道とすることができ、軸方向に見てスカート（２０）の高さ方向に沿った位置のあるレベルに配置されていること、
を特徴とする請求項１乃至４のいずれかに記載のディスペンサ部材。
【請求項６】
流体入口（２３０）を備えた流体チャンバ本体を有し、前記入口（２３０）は流体がチャンバ本体内に持ち込まれる際の通り道であって、軸方向に見てスラスト壁（２０６１）よりも上の位置となるレベルに配置されていること、
を特徴とする請求項１乃至５のいずれかに記載のディスペンサ部材。
【請求項７】
チャンバ本体は、固定手段と一体化されて単一の部品として作られていること、
を特徴とする請求項５または６に記載のディスペンサ部材。
【請求項８】
入口（２３０）には、貯蔵器（１）の内部にまで延びるように設計されたディップチューブ（２４）が設けられていること、
を特徴とする請求項５または６に記載のディスペンサ部材。
【請求項９】
ネック（１３）を有する流体貯蔵器と、請求項１乃至８のいずれかに記載のディスペンサ部材とを有することを特徴とする流体ディスペンサ。
【請求項１０】
貯蔵器の内部にまで延びるディップチューブ（２４）と、ネック（１３）内で密封接触する密封ブッシング（２１）とを有し、ディップチューブ（２４）およびブッシング（２１）だけがネック（１３）の内部に延びていること、
を特徴とする請求項９に記載のディスペンサ。
【請求項１１】
固定手段は、ネック（１３）の内壁（１３１）と密封接触状態となるように設計された密封ブッシング（２１）を有し、前記ブッシング（２１）が有する自由端（２１２）は、スカートのガイド部（２０１１）がネック（１３）を囲む形に嵌められて、前記少なくとも１つの留めプロフィール（２０１０）がネック（１３）に受け止められる状態となっている際に、ネック（１３）の中に進入すること、
を特徴とする請求項９または１０に記載のディスペンサ。
【発明の詳細な説明】
【技術分野】
【０００１】
本発明は、ポンプや弁など、貯蔵器ネックに設置されるか、それと組み合わされるように設計された流体ディスペンサ部材に関するものである。本発明はまた、そうしたディスペンサ部材を有するディスペンサに関する。
本発明は特に、化粧品、香水そして薬剤の分野に適用されるが、これらに限定はされない。
【背景技術】
【０００２】
従来技術において、ディスペンサ部材を貯蔵器ネックへ固定する方法には様々なものがある。例えば、ネジ留めによって、クランピングによって、さらにはスナップ留めによって固定を達成することができる。通常、固定は、貯蔵器にディスペンサ部材を強く留めるのに適した固定用スカートによって達成される。しかし、固定はまた、ディスペンサ部材に直接形成された固定手段によって達成することもできる。留め手段は一般に、１つまたは複数の留めプロフィールを有し、当該プロフィールによって、貯蔵器のネックの上または中にスカートをスナップ留めまたはネジ留めすることが可能になる。
【０００３】
こうした固定方法に関連する問題は、貯蔵器のネックへのディスペンサ部材の組み付けの中にある。こうした組み付けを実行する間、ディスペンサ部材を貯蔵器のネックの軸上に適正に事前位置決めすることで、当該部材が前記ネックに装着またはネジ留めされた時点で、前記ディスペンサ部材が正しく配置されることを保証しなければならない。ディスペンサ部材の傾いた状態で事前位置決めされると、漏洩の問題が引き起こされる可能性があり、場合によってはディスペンサ部材や貯蔵器の破壊すら生じかねない。残念なことに、留めプロフィールが存在する結果として、ディスペンサ部材がまっすぐな状態でネック上に事前位置決めされることを保証するのは難しい。まっすぐな状態でなければ、部材を適正な様態で軸方向に押し込んだネジ留めしたりすること、そして、適切な形で最終位置に入れること、は不可能である。
【０００４】
一般的に、ディスペンサ部材は、内部に流体チャンバが形作られた本体を有する。本体が延びた先は、相当の距離だけ下向きに突出した固定用スカートとなっている。本体には、その下側端部に、流体をチャンバ内に流入させるための流体入口が形成されている。入口にはディップチューブを設けてもよい。スカートの位置における本体の径は比較的大きくなっている。残念なことに、この点において、スカートがネックに固定された後、本体は貯蔵器のネックに挿入される。
【０００５】
本体がスカートの下まで延びている場合、本体は、スカートがネックに取り付けられている間、スカートをガイドする働きをする。従って、本体をネックに挿入することで、スカートをネックに事前位置決めすることが可能になる。ネックの内径に比べて比較的大きくなっていることの結果として、本体それ自体のみの力により、本体はネックに対してスカートの軸上に保持される。
【０００６】
本体は従って、ネックのスカートへの事前位置決めに関し、最終的な設置に先立って、中心決めやガイドの役割を果たす。
【発明の開示】
【発明が解決しようとする課題】
【０００７】
本発明の目的は、ネック内で本体をガイドする機能または事前位置決めする機能を不要としつつ、にもかかわらず一方で、スカートがネック上で軸方向に中心の合った様態で事前位置決めされることを保証する、ということである。これは、ディスペンサ部材の本体がスカートまたはネックの中にまで延びていない場合に、特に有用である。
この目的を達成するために、本発明は、上記の欠点が再現しない流体ディスペンサ部材を提案する。
【０００８】
より具体的に言えば、本発明の目的は、貯蔵器上への事前位置決めおよび配置が容易である、というディスペンサ部材を提供することである。
本発明のもう１つの目的は、製造および組立が簡単かつ安価である、というディスペンサ部材およびディスペンサを提供することである。
【課題を解決するための手段】
【０００９】
これらの目的を達成するために、本発明が提供するのは、貯蔵器ネックに設置されるよう設計された流体ディスペンサ部材であって、前記部材は部材を貯蔵器ネックに固定するための固定手段を有し、前記固定手段は貯蔵器ネックを囲む形に延びるよう設計された周縁スカートを有し、前記スカートはネックに嵌められるよう設計された留めプロフィールを少なくとも１つ有し、特徴となるのは、スカートがさらにガイド部を有し、当該ガイド部は、前記少なくとも１つの留めプロフィールがいまだネックに嵌まっていない状態にある間、ネックを囲む形で嵌められるよう設計されていること、である、という前記ディスペンサ部材である。
【発明の効果】
【００１０】
こうした構成であれば、スカートのうち、ディスペンサ部材の固定手段の下に延びた下向き延長部の形を取るガイド部によって、貯蔵器のネック上にディスペンサ部材を軸方向にまっすぐ安定した形で事前位置決めすることができる。こうして、ガイド部により、ディスペンサ部材の軸が貯蔵器の軸と実質的または正確に一致することが確実になる。したがって、ディスペンサ部材をネック上の所定位置に持ってくることがより簡単になる。従って、ディスペンサ部材の事前位置決めの状態の悪さによって生じる、貯蔵器やスカートの破損の危険は回避される。ガイド部により、ディスペンサ部材の本体の省略が可能になる。
【００１１】
また、スカートは、ネックに対してスラスト力を加えるように設計されたスラスト壁から下向きに延びており、そうして、スカートには自由端が形作られ、前記ガイド部は前記自由端から留めプロフィールまで延びている、とするのが効果的である。
また、固定手段は密封ブッシングを有し、当該ブッシングはネックの内壁と密封接触の状態になるように設計されている、とするのが効果的である。このようにすれば、ブッシングにより、貯蔵器の完全な密封が保証され、従って、貯蔵器のネックから流体が漏洩する可能性も排除される。よって、ブッシングにより、ネックと固定手段との間に挿入されるネックガスケットを不要にすることができる。
【００１２】
また、ブッシングはスラスト壁から下向きに延び、当該壁はネックの上に載る状態となるように設計されており、そうしてブッシングには自由端部が形作られており、当該端部はスカートの自由端部とほぼ同じレベルにまで延びている、とするのが効果的である。
また、効果的な構成として、ディスペンサ部材は、流体入口を備えた流体チャンバ本体を有し、前記入口は貯蔵器に格納された流体を引き出す際の通り道とすることができ、軸方向に見てスカートの高さ方向に沿った位置のあるレベルに配置されている。
【００１３】
また、効果的な構成として、ディスペンサ部材は、流体入口を備えた流体チャンバ本体を有し、前記入口は流体がチャンバ本体内に持ち込まれる際の通り道であって、軸方向に見てスラスト壁よりも上の位置となるレベルに配置されている。
このようにチャンバ−本体入口の配置を行うことで、チャンバ−本体入口（そして、とりわけチャンバ本体そのもの）が、貯蔵器のネックの開口部の中にではなく、それよりも上に配置されることが確実になる。そうすると、貯蔵器は透明な素材（例えばガラスやプラスチック素材）で作られる場合が多いため、この特徴により、チャンバ−本体入口およびチャンバ本体が貯蔵器を通して外側から見えてしまうことがない、という効果が生じる。これらの部材は、効果的な構成として、ディスペンサヘッドによって形作られた空間に収容されており、従って外側から見えない（ディスペンサヘッドは、不透明な素材、あるいは、不透明な色が塗られた素材で作られていることが多いため）。
【００１４】
また、チャンバ本体は、固定手段と一体化されて単一の部品として作られている、とするのが効果的である。
また、入口には、貯蔵器の内部にまで延びるように設計されたディップチューブが設けられている、とするのが効果的である。
本発明はまた、ネックを備えた流体貯蔵器とディスペンサ部材とを有する流体ディスペンサを提供する。
【００１５】
また、効果的な構成として、ディスペンサは、貯蔵器の内部にまで延びるディップチューブと、ネック内で密封接触する密封ブッシングとを有し、ディップチューブおよびブッシングだけがネックの内部に延びている。
また、固定手段は、ネックの内壁と密封接触状態となるように設計された密封ブッシングを有し、前記ブッシングが有する自由端は、スカートのガイド部がネックを囲む形に嵌められて、前記少なくとも１つの留めプロフィールがネックに受け止められる状態となっている際に、ネックの中に進入すること、とするのが効果的である。
【発明を実施するための最良の形態】
【００１６】
以下、本発明について、非限定的な例としての本発明の実施の形態を示す添付図面を参照しながら、より詳しく説明する。
図面を参照して分かるように、本発明のディスペンサは、ディスペンサ部材と貯蔵器１とを有する。
貯蔵器１は、投与対象の流体を格納するように設計されている。これは、ガラス、金属、またはプラスチック素材で作ることができる。その容量は、サンプルの場合は約２〜３ミリリットルとでき、通常の貯蔵器の場合は、はるかに大きな値とすることができる。貯蔵器の形状は、適当なものであればどんな形状にもできる。
【００１７】
図１、３に示すように、貯蔵器１は、端壁１１によって閉じられた下側端部とネック１３が形作られた上側端部とを有する。また、効果的な構成として、肩１２が本体１０とネック１３との接続部を形成している。
ネック１３には、貯蔵器の内部を外部環境と通じさせることを可能にするのに適した開口部が形作られている。ネックは、上側エッジ１３０、内壁１３３、そして外壁１３１を有する。外壁１３１は、貯蔵器の他の部分よりも厚くなっている。ハウジング１３２を形成する凹み部分が、効果的な構成として、より厚い部分と肩１２との間に形成されている。
【００１８】
ディスペンサ部材はポンプまたは弁とすることができる。部材は、部材本体２、ピストン３、スプリング５、そしてディスペンサヘッド６を有する。
部材本体２は、効果的な構成として、固定手段、チャンバ本体、そしてディップチューブ２４を有する。
固定手段は、周縁スカート２０と密封ブッシング２１とを有する。
【００１９】
周縁スカート２０は、第１に下側部分、第２に上側部分を有する。
下側部分は、外表面２００、内表面２０１、そして自由端２０２を有する。内表面２０１は留めプロフィール２０１０を有する。一例として、留めプロフィールは、図面に示すような内部突起に対応させることもできるが、その他に、複数の内部突起に対応する形にもできる。本発明では、留めプロフィール２０１０と自由端２０２との間にガイド部２０１１が設けられている。
【００２０】
上側部分は、外面２０３、内面２０４、そして上側端部２０５を有し、外面２０３は効果的な構成として、受け止めリム２０３０を備えている。
各種図面に示すように、下側部分と上側部分とは、あわせて単一の部分として作ることができ、そして、横方向セットバック２０６によって接合された形にもできる。セットバック２０６は受け止め壁２０６０とスラスト壁２０６１とを有する。
【００２１】
密封ブッシング２１は周縁スカート２０と同心の関係にある。ブッシングは、外側フランク(flank)２１０、内側フランク２１１、そして自由端２１２を有する。効果的な構成として、下に延びる自由端２１２は、スカート２０の自由端２０２と同じレベル、または、それより下のレベルにまで達する。
チャンバ本体２はピストン収容シリンダ２２とスリーブ２３とを有し、それらは両方とも径方向パーティション２３２につながっている。図に示すように、チャンバ本体は効果的な構成として、固定手段と一体化された単一の部品として作られている。
【００２２】
スリーブ２３は、効果的な構成として流体入口２３０を有する。入口２３０は、効果的な構成としてディップチューブ２４を備えている。そうして、ディップチューブ２４は、スリーブ２３の先に延び、スカート２０およびブッシング２１それぞれの自由端２０２、２１２のかなり下にまで延びている。ディップチューブ２４は、スリーブ２３と一体化して単一の部品として作ることができる。あるいは、スリーブ２３内部に固定することもできる。特に効果的な実施の形態では、流体入口２３０の軸方向に見た配置位置は、スカート２０の高さ方向に沿ったあるレベル（その自由端２０２と上側端部２０５との間）となる。 入口２３０の軸方向の位置は、上側端部２０５より上のレベルにさえすることができる。一般的な形では、入口２３０の軸方向の配置は、スラスト壁２０６１よりも上のレベルとするのが効果的である。
【００２３】
また、ピストン３が設けられている。ピストンの構造は本発明の一部を形成するものではなく、そのため、詳細な形での説明はしない。図示した例では、ピストン３には主ピストン３２と差動ピストン３１とが形成されている。ピストン３とチャンバ本体とが一緒になって形作るスペースは、ポンプチャンバ４を形成している。
効果的な構成として、ピストン３はスライド移動可能な形でチャンバ本体に設置されており、主ピストン３２がシリンダ２２の内部を密封様態でスライド移動することが可能である。ピストンがスライド移動することで、前記チャンバ４の容積は、選択的に小さくなったり大きくなったりする。
【００２４】
ピストンには弁ロッド３０も形作られており、当該ロッドは移動入口弁部材として働き、スリーブ２３の弁シートと協働することで、選択的に流体の流入を許す。
差動ピストン３１は、ディスペンサヘッド６に形成された差動シリンダ６１２と協働する移動出口弁部材を形成する。
ピストン３は、スプリングなどの戻し手段５によって休止位置に押しやられる。
【００２５】
効果的な構成として、スプリング５はピストン３と部材本体２との間に置かれている。部材本体２において、スプリングは、スカート２０の上側部分の内面２０４とチャンバ本体のシリンダ２２との間に収容することができる。ピストン３において、スプリングはピストンアーム３１の下側に配置することができる。
図示した実施の形態において、ディスペンサヘッド６は、部材本体２とピストン３とを覆っている。ディスペンサヘッドは、ユーザが押えることのできる駆動面６０と側面リング６１とを有する。
【００２６】
側面リング６１は、効果的な構成として、側面流体出口開口部６１０と保持部材６１１０が形成された下側端部６１１とを有する。側面出口開口部は、単純な貫通穴または流体出口ダクトとすることができ、さらには、チャネル−渦チャネル型システムに属する形にもできる。保持部材６１１０は受け止めリム２０３０と協働することで、ディスペンサヘッドの休止位置を規定する。リングの内壁は差動シリンダ６１２を形成しており、当該シリンダ内で差動ピストン３１がスライド移動する。ディスペンサヘッドの表面６０が押し込まれる過程において、下側端部６１１は、効果的な構成として、そのストロークの終わりに受け止め壁２０６０に受け止められる形で接する。そうして、この受け止め接触が、前記ヘッドの最大圧縮される位置を規定する。効果的な実施の形態では、側面リング６１の外径は、スカート２０の下側部分の外径に近い。そのため、ディスペンサヘッド６が部材本体２に設置される際、リング６１は、前記ディスペンサヘッドが完全に押し下げられた時点では、スカート２０の下側部分の外表面２００と連続した状態となる。これによって外観は改善する。
【００２７】
上に述べたディスペンサ部材はポンプであるが、それ以外に、弁もまた、本発明の範囲内と考えることが可能であろう。
そうして、ディスペンサ部材は、貯蔵器のネック１３と協働する固定手段によって、貯蔵器１に設置される。設置作業は２つのステップに分けられる。すなわち、図１、２に示すようにディスペンサ部材を事前位置決めするステップと、そして、図３、４に示すようにディスペンサ部材を最終的に配置するステップとである。
【００２８】
ディスペンサ部材の事前位置決めにおいて、スカート２０のガイド部２０１１は、第１にネック１３を囲む形に嵌められる。そうして、留めプロフィール２０１０がネック１３に嵌まる前の段階で、ネックの外表面１３１とガイド部２０１１との間の協働状態が生じる。このステップにおいて、留めプロフィール２０１０は上側端部１３０より上の位置にある。こうした事前位置決めにより、２つの面（効果的な構成として円筒形のもの）の間で協働が実現され、それにより、ディスペンサ部材が貯蔵器１に対し安定してまっすぐな状態で事前位置決めされることが保証される。さらに、このステップの間、密封ブッシング２１の外側フランク２１０はネック１３の内壁１３３に対し、ほとんど密封接触した状態となる。そうして、この密封接触により、事前位置決めステップの間の貯蔵器ネックにおける密封が保証される。
【００２９】
その後、ディスペンサ部材は、軸方向のスラストが加えられることによって、事前位置決めの状態から最終配置の状態へと移動する。ディスペンサヘッド６に軸方向のスラストが加わることで、スカートの内表面２０１はネック１３の外壁１３１に沿ってスライド移動させられる。そうして、留めプロフィール２０１０は外壁１３１に受け止められる形で接触し、最終的にはネックのハウジング１３２にスナップ留めされる。効果的な構成として、当該ハウジングにより、軸方向の牽引力によってディスペンサ部材が取り外される危険は排除される。留めプロフィール２０１０は、効果的な構成として、ハウジング１３２の中に収まる形となる。こうして、部材２を永続的な形でネック１３に保持することができる。
【００３０】
効果的な実施の形態では、スカート２０のスラスト壁２０６１は、最終的な配置において、ネックの上側端部１３０の上に載る形となる。それに加えて、自由端２０２は、貯蔵器の肩１２に受け止められる形で接触する状態となるが、その際、スカート２０は貯蔵器の本体１０と一直線上の位置にくる。密封ブッシング２１の方は、ネック１３の中に漸進的な形でより深く進入し、その一方で、移動の間もネック１３と耐漏洩接触した状態を保つ。
【００３１】
そうして、スラスト壁２０６１が上側エッジ１３０に受け止められる状態になった時点、および／または、自由端２０２が貯蔵器の肩１２に受け止められる形で接触する状態になった時点で、ディスペンサ部材は配置が完了する。
特に効果的な実施の形態では、ディスペンサ部材が最終的に設置された後、チャンバ本体の入口２３０の位置（チャンバ本体それ自体の位置）は、軸方向に見て、スカートの高さに沿った位置のあるレベル、好ましくは、スカートのスラスト壁２０６１よりも上に位置するレベルでとなる。留意すべき点として、入口２３０の配置は、軸方向の高さで見て、スカート２０の上側端部２０５よりも上とすることさえ可能である。このように、ディップチューブ２４と密封ブッシング２１とだけがネック１３の内部に延びる、という実施の形態が可能である。そうすると、入口２３０（さらに、チャンバ本体）を覆い隠すのは、効果的な構成として、ディスペンサヘッド６（特に側面リング６１）ということになる。
【００３２】
従って、ディスペンサ部材が貯蔵器のネック上に組み付けられている間、本発明では、前記ディスペンサ部材をまっすぐな、安定した形で事前位置決めすることができる。それにより、ディスペンサ部材の最終的な配置はより簡単になり、しかも、前記ディスペンサ部材が壊れる危険性なしで行われ、さらに、漏洩の問題が生じる危険性もない。
以上、本発明について、特定の実施の形態を参照しながら説明したが、当然、本発明は当該実施の形態に限定されない。それどころか、当業者であれば、添付の特許請求の範囲によって定義される本発明の範囲から逸脱しない形で、あらゆる有用な修正をそれに適用することが可能であろう。
【図面の簡単な説明】
【００３３】
【図１】本発明のディスペンサ部材を有するディスペンサの縦断面図であり、流体貯蔵器に事前位置決めされた状態で示す図である。
【図２】図１のディスペンサ部材および貯蔵器の一部を示す拡大図である。
【図３】ディスペンサの図１と同様の図であり、本発明のディスペンサ部材が流体貯蔵器上に最終的に設置された状態で示す図である。
【図４】図２と同様の図であり、図３のディスペンサ部材および貯蔵器の一部を示す図である。
【図１】
2007515281.tif 000003
【図２】
2007515281.tif 000004
【図３】
2007515281.tif 000005
【図４】
2007515281.tif 000006
【国際調査報告】
2007515281.tif 000007
2007515281.tif 000008
2007515281.tif 000009
2007515281.tif 000010